(57)【要約】【課題】揮発性物質の拡散のない天然素材から形成された芯材を畳床に使用するとともに、抗菌性及び調湿性などに優れた畳を提供することを課題とする。【解決手段】畳１は、い草を原料とし、麻糸や綿糸でい草を織り込んだ織物として形成された畳表２と、間伐したスギを原料とし、該スギの材木をチップ状に破砕した後、解繊処理をすることによって得られた木質部分及び樹皮部分の繊維を圧縮成型し、澱粉を主成分とする結合剤を用いて板状に形成した芯材３、稲藁を圧縮して形成した藁材４ａ，４ｂ、及び芯材３と藁材４ａ，４ｂの間にそれぞれ介設した活性炭シート５ａ，５ｂからなる畳床６とを具備する。形成された畳１は、スギの有する抗菌性、調湿性、脱臭性、断熱性、及び吸音性などの優れた木材特性が付与されている。【選択図】　　　　図１
2004019284.tif 000002
【特許請求の範囲】
【請求項１】
い草を原料とする畳表と、
抗菌性、調湿性、及び脱臭性を含む木材特性を備える木材を解繊処理し、得られた木質繊維及び樹皮繊維の少なくともいずれか一方を板状に圧縮成型した天然素材からなる芯材、及び前記芯材を上下から挟込んだ藁材を有する畳床と
を具備することを特徴とする畳。
【請求項２】
前記木材は、
スギ、ヒノキ、ヒバ、及びマツを含む針葉樹であることを特徴とする請求項１に記載の畳。
【請求項３】
前記畳床は、
前記芯材及び前記藁材の間に活性炭をシート状に形成した活性炭シートがさらに介設されることを特徴とする請求項１または請求項２に記載の畳。
【請求項４】
前記畳床は、
少なくとも二枚以上の前記芯材を有し、
前記芯材及び前記藁材が交互に積層して形成されていることを特徴とする請求項１乃至請求項３のいずれか一つに記載の畳。
【請求項５】
前記芯材は、
複数の貫通孔が穿設されていることを特徴とする請求項１乃至請求項３のいずれか一つに記載の畳。
【発明の詳細な説明】
【０００１】
【発明の属する技術分野】
本発明は、畳に関するものであり、特に脱臭性、抗菌性、及び調湿性などの木材特性を有する芯材を畳床に利用した畳に関するものである。
【０００２】
【従来の技術】
従来から、日本家屋の床には、い草を原料とする畳表と、稲藁を圧縮した畳床とから形成された畳が敷設されていることがある。また、稲藁の入手困難性や稲藁価格の高騰によって、畳床の全部または一部を輸入材などから製造されたインシュレーションボードやポリスチレンフォームの芯材によって稲藁の代替とした畳が製造されている。これにより、畳の製造コストを低く抑えることができ、さらに稲藁使用の畳床と比較して畳全体の軽量化を図ることができる。
【０００３】
【発明が解決しようとする課題】
しかしながら、従来の畳床に使用されるインシュレーションボードは、木材を破砕し解繊した後で圧縮成型する際に、ホルムアルデヒドなどの揮発性物質を含む接着剤を利用することが多かった。そのため、これらの畳を室内に敷設すると、上述の揮発性物質が畳から徐々に拡散する場合があった。特に、住宅においては、コンクリートやセメントなどの気密性の高い材料を建材として用いる割合が高く、拡散した揮発性物質は長時間にわたって室内に対流することとなり、その結果として居住者の体内に呼吸などによって取り込まれる可能性が大きかった。さらに、気密性の高い室内では、湿度が高くなりやすくダニなどの発生が多くなることが知られている。
【０００４】
ここで、揮発性物質としては、前述したホルムアルデヒド以外のものとして、トルエン、キシレン、パラジクロロベンゼン、及びノルマルヘキサンなどが挙げられる。そして、これらの物質を体内に取込むことによって、頭痛、吐き気、ぜん息、アトピー性皮膚炎などの諸症状を引起こす化学物質過敏症にかかることがあった。すなわち、これらの揮発性物質によって室内の空気が汚染されるため、いわゆる「シックハウス症候群」の原因になるものであった。特に畳は、高齢者が好む和室に設置されるため、健康上などの問題から従来のインシュレーションボードを用いた畳は敬遠される傾向が強かった。
【０００５】
そこで本発明は、上記実情に鑑み、揮発性物質の拡散のない天然素材から形成された芯材を畳床に使用するとともに、抗菌性及び調湿性などに優れた畳を提供することを課題とするものである。
【０００６】
【課題を解決するための手段】
上記の課題を解決するため、請求項１の発明にかかる畳は、い草を原料とする畳表と、抗菌性、調湿性、及び脱臭性を含む木材特性を備える木材を解繊処理し、得られた木質繊維及び樹皮繊維の少なくともいずれか一方を板状に圧縮成型した天然素材からなる芯材、及び前記芯材を上下から挟込んだ藁材を有する畳床とを具備するものである。
【０００７】
ここで、天然素材からなる芯材とは、スギやヒノキなどの針葉樹や、クリやカシなどの広葉樹などの木材を利用し、これらの木材を解繊した木材繊維を結合剤などによって圧縮成型したものである。ここで、用いる結合剤は澱粉などを主成分とする天然物由来のものが用いられる。また、木材の保有する抗菌性などの木材特性は、芯材の状態にしても損なわれることがない。
【０００８】
したがって、請求項１の発明の畳によれば、い草からなる畳表と、天然素材の芯材及び藁材からなる畳床によって、人体に有害となる揮発性物質の拡散がない畳が形成される。さらに、木材の保有する抗菌性などの木材特性を畳に活用することが可能となる。そのため、高温多湿環境下での使用においても腐食することが少ない安定した品質が維持される。
【０００９】
請求項２の発明にかかる畳は、請求項１に記載の畳において、前記木材は、スギ、ヒノキ、ヒバ、及びマツを含む針葉樹である。
【００１０】
したがって、請求項２の発明の畳によれば、請求項１の発明の畳の作用に加え、スギなどの針葉樹が芯材の原料として使用される。ここで、スギやヒノキなどは、日本に古来から生育している樹木であり、特に抗菌性などの優れた木材特性を有することが知られている。そのため、これらの木材を芯材として利用することにより、優れた木材特性を備えた畳を形成することが可能となる。
【００１１】
請求項３の発明にかかる畳は、請求項１または請求項２に記載の畳において、前記畳床は、前記芯材及び前記藁材の間に活性炭をシート状に形成した活性炭シートがさらに介設されるものである。
【００１２】
ここで、活性炭シートとは、無定形炭素を主成分とする黒色の微粉末などからなり、悪臭成分等を吸着する脱臭作用を有している活性炭をシート状に形成したものである。
【００１３】
したがって、請求項３の発明の畳によれば、請求項１または請求項２の発明の畳の作用に加え、活性炭シートを芯材及び藁材の間に介設することにより、畳にさらに脱臭性が付与される。これにより、悪臭や人体に有害な揮発性物質の吸着が可能となり、室内に有害成分が滞留することがなくなる。
【００１４】
請求項４の発明にかかる畳は、請求項１乃至請求項３のいずれか一つに記載の畳において、前記畳床は、少なくとも二枚以上の前記芯材を有し、前記芯材及び前記藁材が交互に積層して形成されているものである。
【００１５】
したがって、請求項４の発明の畳によれば、請求項１乃至請求項３のいずれか一つの発明の畳の作用に加え、芯材及び藁材が多重に積層した構造で形成される。これにより、畳床を構成する芯材の表面積が増加し、抗菌性などの木材特性をさらに効率的に発揮させられる。
【００１６】
請求項５の発明にかかる畳は、請求項１乃至請求項３のいずれか一つに記載の畳において、前記芯材は、複数の貫通孔が穿設されているものである。
【００１７】
したがって、請求項５の発明の畳によれば、請求項１乃至請求項３のいずれか一つの発明の畳の作用に加え、穿設された貫通孔により畳床を構成する芯材の表面積が増加する。そのため、前述の請求項４と同等の作用を奏させることが可能となる。加えて、畳全体の軽量化が図られることとなる。
【００１８】
【発明の実施の形態】
以下、本発明の第一実施形態である畳について図１及び図２に基づいて説明する。図１は第一実施形態の畳１の一部を切断した状態を示す要部斜視図であり、図２は第一実施形態の畳１の構成を示す断面図である。なお、これらの図において、説明を簡易とするために各層の厚さは、実際の厚さと若干異なって描かれている。
【００１９】
第一実施形態の畳１は、図１及び図２に示すように、畳表２と、芯材３、藁材４ａ，４ｂ、及び活性炭シート５ａ，５ｂからなる畳床６とから構成されている。ここで、畳表２は、い草を原料とするものであり、麻糸や綿糸でい草を織り込んだ織物として形成されている。そして、この畳表２の両側縁には、綿や麻及び化学繊維などの織物からなる畳縁（たたみへり）７が配設され、この畳縁７を畳床６の側面に縫い付けることによって、畳表２は畳床６の表面に取付けられている。なお、畳縁７は縁無しや坊主畳の場合のように省略されることもあり、この場合には、畳表２は、畳床６の側面に直接縫い付けることによって、畳床６の表面を覆い包むように取付けられる。
【００２０】
また、畳床６に用いる芯材３は、間伐したスギを原料とし、該スギの材木をチップ状に破砕した後、解繊処理をすることによって得られた木質部分及び樹皮部分の繊維を圧縮成型し、澱粉を主成分とする結合剤を用いて板状に形成したものである。そのため、芯材３は天然素材のみから構成され、従来のインシュレーションボードのようにホルムアルデヒドなどの人体に有害な揮発性物質を含有することがない。
【００２１】
ここで、スギは木材自体に、抗菌性、調湿性、脱臭性、断熱性、及び吸音性などの優れた木材特性を備えており、芯材３として形成した場合でもその特性は保持することが従来から知られている。そのため、第一実施形態の畳１には上述した優れた木材特性が付与されていることになる。したがって、畳１を床に敷設することにより、抗菌性や調湿性などの優れた効果を発揮させることができる。なお、使用するスギの品種及び産地などは、特に限定されないが、第一実施形態の畳１においては古来からスギの産地として有名な秋田県産の秋田スギが選択され、利用されている。さらに、これらのスギは、間伐材及びそれらの間伐の際に生じる端材を利用することにより、木材資源の有効活用につなげることができる。
【００２２】
さらに、第一実施形態の畳１の畳床６には、上述した芯材３の上面及び下面に接するように活性炭からなる活性炭シート５ａ，５ｂが配設され、さらにその上に藁材４ａ，４ｂによって挟み込まれた構造を呈している。
【００２３】
ここで、活性炭シート５ａ，５ｂは、活性炭の有する優れた脱臭性能（吸着性能）によって悪臭成分等の除去するためのものである。さらに、藁材４ａ，４ｂは、従来より畳を構成する一部材として使用されている稲藁を圧縮して形成したものである。
【００２４】
上記構成により、第一実施形態の畳１は、畳床６がスギ及び澱粉からなる結合剤などの天然素材によって形成された芯材３及び活性炭シート５ａ，５ｂの作用によって、抗菌性、脱臭性、調湿性、断熱性、及び防音性などの優れた特性を備えている。したがって、従来の輸入材などから構成されたインシュレーションボードを用いたものと異なり、天然素材からなるため有害なホルムアルデヒドなどの揮発性物質を拡散させることなく、さらに優れた木材特性によって敷設された室内空気の汚染物質を吸着し、清浄化させることができる。これにより、シックハウス症候群を引き起こす要因をなくすことが可能となる。
【００２５】
また、スギの持つ抗菌性によってダニやカビなどの発生を抑えることができる。さらに、木材の有する調湿効果によって室内の湿度を一定に保ち、さらに断熱性や吸音性などの機能を有するため、畳１が敷設された室内を居住者が過ごしやすい環境にすることができる。特に、和室を好む高齢者や有害物質の吸引を避けるべき乳幼児にとっても安心で快適な室内環境を提供することができる。
【００２６】
さらに、スギ及び活性炭シート５ａ，５ｂによって付与された脱臭性能によって、悪臭成分を吸着し室内から除去することができる。これにより、タバコの臭いや足裏の臭いなどを消臭する効果が得られ、居住環境が悪化することが少ない。
【００２７】
なお、第一実施形態の畳１は、従来から製造されている畳と同様の製造方法によって製造することが可能であり、新たな製造設備等を必要とすることがない。したがって、新たな製造設備等の導入に係るコストなどが必要とならず、製造コストを従来のものとほぼ同じにすることができる。
【００２８】
次に、本発明の第二実施形態における畳１０について図３及び図４に基づいて説明する。ここで、図３は第二実施形態の畳１０の構成を示す断面図であり、図４は第二実施形態の畳１０の芯材１１ａ，１１ｂの構成を示す斜視図である。なお、第二実施形態の畳１０において、第一実施形態の畳１と同一の機能及び構成を示すものは、同一番号を付し、ここでは詳細な説明は省略する。
【００２９】
第二実施形態の畳１０は、図３に示すように、い草からなる畳表２と、二枚の芯材１１ａ，１１ｂを藁材１２ａ，１２ｂ，１２ｃによってそれぞれ上下面から挟込んで形成された多層構造を呈する畳床１３とから構成されている。すなわち、第一実施形態の畳１と比して、二枚の芯材１１ａ，１１ｂが積層した構造を呈するものである。さらに、図４に示すように、上述した芯材１１ａ，１１ｂのそれぞれには上面１４ａから下面１４ｂに貫通した複数の貫通孔１５が格子状に設けられている。ここで、芯材１１ａ，１１ｂに使用される木材は、第一実施形態と同様に秋田県産の秋田スギが用いられている。
【００３０】
上記構成により、第二実施形態の畳１０は、第一実施形態の畳１の効果に加え、複数の貫通孔１５を有する二枚の芯材１１ａ，１１ｂを畳床１３の一部として使用することにより、抗菌性などの木材特性を発揮する１１ａ，１１ｂの表面積を増大させることができる。これにより、悪臭成分等や有害な揮発性物質との接触面積が増えることとなり、木材特性の効果をさらに効率的に発揮させることができる。
【００３１】
以上、本発明について好適な第一及び第二実施形態を挙げて説明したが、本発明はこれらの実施形態に限定されるものではなく、以下に示すように、本発明の要旨を逸脱しない範囲において、種々の改良及び設計の変更が可能である。
【００３２】
すなわち、第一及び第二実施形態の畳１，１０において、芯材３，１１ａ，１１ｂに使用する木材として、スギを用いるものを示したがこれに限定されるものではない。このほかに、ヒノキやヒバなどの針葉樹やクリやカバなどの広葉樹であって、優れた木材特性を有するものであってもよい。さらに、これらの木材を二種類以上混合して芯材を形成してもよい。
【００３３】
さらに、第二実施形態において、芯材１１ａ，１１ｂを二枚用いるものを示したが、これに限定されるものではなく、畳１０の厚さに応じて使用する芯材の枚数を増やしてもよい。加えて、それぞれの藁材及び芯材の間に第一実施形態において用いた活性炭シート５ａ，５ｂを介設してもよい。これにより、第二実施形態の畳１０にさらに脱臭性を付与することができる。また、芯材１１ａ，１１ｂに穿設した貫通孔は、第二実施形態で示した円形状のものに限定されるものではなく、角形状或いは楕円形状などを呈するものであってもよい。
【００３４】
【発明の効果】
以上のように、請求項１の発明の畳は、天然素材からなる芯材を用いることによって、有害な揮発性物質の拡散のない安全な畳にすることができる。さらに、芯材に利用したスギなどの木材の保有する木材特性を畳にそのまま活かすことができるため、畳に抗菌性や脱臭性などの優れた効果を付与することができる。これにより、長期間にわたって安定した品質を保つことの可能な畳ができる。
【００３５】
請求項２の発明の畳は、請求項１の発明の畳の効果に加え、芯材に使用する木材にスギ、ヒノキ、及びヒバなどの針葉樹が利用される。これにより、スギなどの保有する抗菌性や調湿性などの優れた木材特性の効果を畳において享受することができる。
【００３６】
請求項３の発明の畳は、請求項１または請求項２の発明の畳の効果に加え、活性炭シートを藁材及び芯材の間に備えることにより、活性炭の有する脱臭性能や湿度を調整する調湿性をさらに畳に付与することができる。したがって、悪臭成分及び湿気等の除去が簡易に行える。
【００３７】
請求項４の発明の畳は、請求項１乃至請求項３のいずれか一つの発明の畳の効果に加え、複数枚の芯材を利用して畳床を積層した構造とすることにより、芯材の表面積を増加させて木材特性の効果をさらに上げることができる。
【００３８】
請求項５の発明の畳は、請求項１乃至請求項３のいずれか一つの発明の畳の効果に加え、貫通孔を穿設することにより芯材の表面積が増加し、前述の請求項４と同様の効果を奏させることができる。
【図面の簡単な説明】
【図１】第一実施形態の畳の一部を切断した状態を示す要部斜視図である。
【図２】第一実施形態の畳の構成を示す断面図である。
【図３】第二実施形態の畳の構成を示す断面図である。
【図４】第二実施形態の畳の芯材の構成を示す斜視図である。
【符号の説明】
１，１０　畳
２　畳表
３，１１ａ，１１ｂ　芯材
４ａ，４ｂ，１２ａ，１２ｂ，１２ｃ　藁材
５ａ，５ｂ　活性炭シート
６，１３　畳床
１５　貫通孔
【図１】
2004019284.tif 000003
【図２】
2004019284.tif 000004
【図３】
2004019284.tif 000005
【図４】
2004019284.tif 000006